(57)【特許請求の範囲】
【請求項１】
中央部分に凹部が形成されるダイアルと、
前記ダイアルを回転可能に保持するベース部材と、
前記ダイアルの前記凹部に配置されるとともに、前記ダイアルの回転方向に対して直交する方向にスライドするボタンと、
前記ボタンがスライドすることで押されるスイッチが実装される配線基板とを有する電子機器であって、
前記ダイアルの前記凹部にて、前記ダイアルと前記ボタン部材との間に配置され、前記ダイアルと一体となって回転する回転導電部材と、
前記ベース部材に固定され、前記電子機器のグラウンドとなる部分と電気的に接続されるとともに、前記ダイアルの回転位置に拘わらず前記回転導電部材が接触することで、前記回転導電部材と電気的に接続される固定導電部材とを有することを特徴とする電子機器。
【発明の詳細な説明】
【０００１】
【発明の属する技術分野】
本発明は、静電除去機構を有するダイアル装置を備えた電子機器に関する。
【０００２】
【従来の技術】
従来よりカメラをはじめとする電子機器においては、機器の小型化や操作性の向上などを目的に、複数のモードを選択するためのダイアルの中心にスイッチのボタンを配置するものが多く知られる。
【０００３】
図３は、従来におけるダイアル装置の構成の一例を示す断面図である。
【０００４】
図３において、５１はダイアル、５２はダイアルを保持するためのベース部材である。５３はダイアル５１と共に回転し、且つブラシ５３ａを植設したブラシ板であり、フレキ５４上のパターンと接触して複数のモードを選択する。５５はタクトスイッチ５７を押すためのボタンであり、中心軸５５ａでダイアル５１の中心を上下にスライドし、バネ５６によって上方に付勢されている。爪部５５ｂおよび５５ｃはボタン５５の抜け止めである。５８，５９はこのダイアルを使用する電子機器の筐体である。
【０００５】
【発明が解決しようとする課題】
一方、近年では電子機器の小型化により、ダイアルも小型化されてきている。
また、ダイアルやボタンも絶縁体であるプラスチックで形成されることが多い。
【０００６】
そのためダイアルやボタンの表面とブラシやタクトスイッチの距離が近くなり、操作者の身体に帯電した静電気が絶縁体であるブラシやタクトスイッチの表面を通って電子機器の内部に侵入し、内部の電子回路に影響を与え易くなっているという問題がある。
【０００７】
本発明は、上述の事情に鑑みて成されたもので、スイッチ操作の為のボタンの底部に導電部材を配してダイアルと共に回転させる一方、ダイアルを保持するベース部材に配したアース部材に接触させ、ボタン部より侵入した静電気を効率よくアースに逃がすことを可能とする静電除去機構を有するダイアル装置を備えた電子機器を提供することを目的とする。
【０００８】
【課題を解決するための手段】
本発明は、下記構成を備えることにより上記課題を解決できるものである。
【０００９】
中央部分に凹部が形成されるダイアルと、前記ダイアルを回転可能に保持するベース部材と、前記ダイアルの前記凹部に配置されるとともに、前記ダイアルの回転方向に対して直交する方向にスライドするボタンと、前記ボタンがスライドすることで押されるスイッチが実装される配線基板とを有する電子機器であって、前記ダイアルの前記凹部にて、前記ダイアルと前記ボタン部材との間に配置され、前記ダイアルと一体となって回転する回転導電部材と、前記ベース部材に固定され、前記電子機器のグラウンドとなる部分と電気的に接続されるとともに、前記ダイアルの回転位置に拘わらず前記回転導電部材が接触することで、前記回転導電部材と電気的に接続される固定導電部材とを有することを特徴とする。
【００１１】
【発明の実施の形態】
以下に発明の実施の形態を説明する。
【００１２】
図１は、本発明に係る静電除去機構を有するダイアル装置の実施の形態を示す構成要素の分解斜視図、図２は、本発明に係る静電除去機構を有するダイアル装置の要部構成を示す断面図、図３は、従来におけるダイアル装置の構成の一例を示す断面図である。
【００１３】
図１及び図２において、１は複数のモードを切り替えるためのダイアル、２はダイアル１を保持するためのベースである。３はダイアル１を所定角でクリックするためのクリックバネである。
【００１４】
４はダイアル下部に配置されたタクトスイッチ１１を押すためのボタンであり、ダイアル１の中央に位置する凹部に配置されている。そして中心軸４ａがダイアル１の回転中心にあけられた軸穴に嵌合して上下にスライド自在であって、バネ５により上方に付勢されている。またボタン４の爪部４ｂ、４ｃがダイアル１に開けられた穴部１ａ、１ｂに挿入され抜け止めとなっている。
【００１５】
一方、ダイアルの中央に位置する凹部の底には回転導電部材６が嵌め込まれ、その舌部６ａがダイアル１の穴部１ｂを通ってダイアル下面に配されている。この時舌部６ａの幅はダイアル１の穴部１ｂの幅と略同一とされると共にバネ５によってダイアル１に押し付けるように付勢されているので、ダイアル１の動作に合わせて回転することになる。
【００１６】
７は固定導電部材でありベース部材２に固定されている。８は絶縁シートでありブラシ９ａを植設したブラシ板９と共に不図示のネジによってダイアル１にベース部材２および固定導電部材７を挟むように固定されており、固定導電部材７とブラシ板９を絶縁すると共にダイアル１をベース部材２に取り付けている。そして、ダイアル下面に位置する回転導電部材６の舌部６ａが固定導電部材７に常に接触するように構成されている。
【００１７】
１０はダイアルパターン１０ａやタクトスイッチ１１等を持つフレキであり、ブラシ板９に設けられたブラシ９ａがダイアルパターン１０ａに接触してモードを切り替えるようになっている。
【００１８】
１２および１３は筐体を形成する金属製等の外装部であり、外装部１２が固定導電部材７に接触するように構成されている。
【００１９】
以上のような構成においては、ボタン４とダイアル１の隙間から侵入した静電気は回転導電部材６に流れる。そして回転導電部材６は固定導電部材７と接触し、固定導電部材７は外装部１２に接触しているので、侵入した静電気は外装部に流れ、内部の電子回路には流れない構成となっている。
【００２０】
また、ダイアル１とベース部材２の間から侵入した静電気は固定電動部材７に流れ、外装部１２に流れる。ベース部材２の外側に流れた静電気は当然直接、外装部１２、及び１３に流れることになる。
【００２１】
以上の構成では，機器内部に入り込んだ静電気を筐体を形成する金属製の外装部に導くようになっているが、機器内部に在り、且つ電子回路のグラウンドとなっている金属製シャーシに静電気を導くように構成してもよい。
【００２２】
【発明の効果】
以上説明したように、本発明によれば、ダイアルまたはダイアル内に設けられたボタンから機器内に侵入する静電気を効率よく外装部または機器内のグラウンドに導くことができ、内部の電子回路を保護することができるという効果を呈する。
【図面の簡単な説明】
【図１】  本発明に係る静電除去機構を有するダイアル装置の実施の形態を示す構成要素の分解斜視図
【図２】  本発明に係る静電除去機構を有するダイアル装置の要部構成を示す断面図
【図３】  従来におけるダイアル装置の構成の一例を示す断面図
【符号の説明】
１、５１  ダイアル
２、５２  ベース部材
３  クリックバネ
４、５５  ボタン
５  バネ
６、５６  回転導電部材
７  固定導電部材（アース部材）
８  絶縁体（絶縁シート）
９、５３  ブラシ板
９ａ、５３ａ  ブラシ
１０、５４  フレキ
１０ａ  ダイアルパターン
１１、５７  タクトスイッチ（スイッチ）
１２，１３，５８，５９  外装部
【図１】
0004620894.tif 000002
【図２】
0004620894.tif 000003
【図３】
0004620894.tif 000004